【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための装置。
【請求項２】
前記ルールは、前記フレームがＶＨＴ変調クラスを使用して送信された場合のみ、前記応答がＶＨＴ変調クラスを使用して送信されることを可能にする、請求項１に記載の装置。
【請求項３】
前記ルールは、前記フレームがＶＨＴ変調クラスを使用して送信された場合、前記応答がＨＴ変調クラスまたは非ＨＴ変調クラスを使用して送信されることを可能にする、請求項１に記載の装置。
【請求項４】
前記回路は、
前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することを行うように構成された、請求項１に記載の装置。
【請求項５】
前記回路は、
サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することとを行うようにさらに構成され、
前記送信機が、前記１次ＭＣＳを使用して前記応答を送信するようにさらに構成された、請求項４に記載の装置。
【請求項６】
サポートされたＭＣＳの前記セットが、非ＨＴ局、ＨＴ局、またはＶＨＴ局によってサポートされた１つまたは複数のＭＣＳを備える、請求項５に記載の装置。
【請求項７】
前記ＭＣＳを選択するように構成された前記回路が、前記受信されたフレームのデータレートに等しいかまたはそれよりも低いデータレートに対応する前記ＭＣＳを選択するようにさらに構成された、請求項１に記載の装置。
【請求項８】
応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することとを備える、ワイヤレス通信のための方法。
【請求項９】
前記ルールは、前記フレームがＶＨＴ変調クラスを使用して送信された場合のみ、前記応答がＶＨＴ変調クラスを使用して送信されることを可能にする、請求項８に記載の方法。
【請求項１０】
前記ルールは、前記フレームがＶＨＴ変調クラスを使用して送信された場合、前記応答がＨＴ変調クラスまたは非ＨＴ変調クラスを使用して送信されることを可能にする、請求項８に記載の方法。
【請求項１１】
前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することをさらに備える、請求項８に記載の方法。
【請求項１２】
サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することと、
前記１次ＭＣＳを使用して前記応答を送信することとをさらに備える、請求項１１に記載の方法。
【請求項１３】
サポートされたＭＣＳの前記セットが、非ＨＴ局、ＨＴ局、またはＶＨＴ局によってサポートされた１つまたは複数のＭＣＳを備える、請求項１２に記載の方法。
【請求項１４】
前記ＭＣＳを選択することが、
前記受信されたフレームのデータレートに等しいかまたはそれよりも低いデータレートに対応する前記ＭＣＳを選択することを備える、請求項８に記載の方法。
【請求項１５】
応答を引き出すフレームを受信するための手段と、
前記応答の送信のための変調クラスと変調およびコーディング方式（ＭＣＳ）とを選択するための手段であって、選択するための前記手段は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するための手段を備える、選択するための手段と、
前記選択された変調クラスと前記選択されたＭＣＳとを使用して前記応答を送信するための手段とを備える、ワイヤレス通信のための装置。
【請求項１６】
前記ルールは、前記フレームがＶＨＴ変調クラスを使用して送信された場合のみ、前記応答がＶＨＴ変調クラスを使用して送信されることを可能にする、請求項１５に記載の装置。
【請求項１７】
前記ルールは、前記フレームがＶＨＴ変調クラスを使用して送信された場合、前記応答がＨＴ変調クラスまたは非ＨＴ変調クラスを使用して送信されることを可能にする、請求項１５に記載の装置。
【請求項１８】
前記フレームがＶＨＴ送信として送信された場合、前記受信されたフレームの空間ストリームの数と変調次数とを判断するための手段であって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断するための手段をさらに備える、請求項１５に記載の装置。
【請求項１９】
サポートされたＭＣＳのセットを識別するための手段と、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新するための手段と、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択するための手段とをさらに備え、前記送信するための手段が、前記１次ＭＣＳを使用して前記応答をさらに送信する、請求項１８に記載の装置。
【請求項２０】
サポートされたＭＣＳの前記セットが、非ＨＴ局、ＨＴ局、またはＶＨＴ局によってサポートされた１つまたは複数のＭＣＳを備える、請求項１９に記載の装置。
【請求項２１】
前記ＭＣＳを選択するための前記手段が、
前記受信されたフレームのデータレートに等しいかまたはそれよりも低いデータレートに対応する前記ＭＣＳを選択するための手段を備える、請求項１５に記載の装置。
【請求項２２】
応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することと
の手順をコンピュータに実行させるためのプログラム。
【請求項２３】
少なくとも１つのアンテナと、
前記少なくとも１つのアンテナを介して、応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための局。